(57)【要約】【課題】本発明は、有機発光表示装置及びその製造方法、並びに前記有機発光表示装置を用いた電子設備を提供する。【解決手段】本発明の有機発光表示装置は、タッチスクリーンと、上面が前記タッチスクリーンの下面に密着され、下面には裏粘着層がカバーして設けられる表示パネルと、上面が前記裏粘着層に粘着されるＦＰＣと、前記裏粘着層に配置される複数の圧力センサと、を備える。本発明の有機発光表示装置は、簡単な構造を介して、圧力センサを表示パネルの下方に設置して、カバープレートガラスの枠の位置を占めず、カバープレートガラスの枠を任意の幅に縮小することができて、ディスプレイの比例を増大させ、ユーザーの使用体験性を強化する。【選択図】図１
2017063183.tif 000002
【特許請求の範囲】
【請求項１】
タッチスクリーンと、
上面が前記タッチスクリーンの下面に密着され、下面には裏粘着層がカバーして設けられる表示パネルと、
上面が前記裏粘着層に粘着されるＦＰＣと、
前記裏粘着層に配置される複数の圧力センサと、を備える有機発光表示装置。
【請求項２】
前記複数の圧力センサは、前記ＦＰＣの上面に粘着されることを特徴とする請求項１に記載の有機発光表示装置。
【請求項３】
前記表示パネルは４つのコーナーを備え、前記４つのコーナーのそれぞれの下方には前記圧力センサが設けられ、
前記表示パネルの前記４つのコーナーの下面は、前記圧力センサに接触することを特徴とする請求項１に記載の有機発光表示装置。
【請求項４】
前記タッチスクリーンの上面に設置される透明カバープレートをさらに備えることを特徴とする請求項１から３のいずれか1項に記載の有機発光表示装置。
【請求項５】
ＦＰＣ及び複数の圧力センサを提供し、前記複数の圧力センサを前記ＦＰＣの上面に粘着させるステップ（１Ａ）と、
タッチスクリーン及び表示パネルを提供し、前記タッチスクリーンの下面を前記表示パネルの上面に密着させるステップ（１Ｂ）と、
前記表示パネルの下面に裏粘着層を密着させるステップ（１Ｃ）と、
前記ＦＰＣの上面を前記裏粘着層の下面に粘着させ、前記複数の圧力センサを前記裏粘着層に挿入するステップ（２）と、を含む有機発光表示装置の製造方法。
【請求項６】
前記ステップ（２）において、前記複数の圧力センサを、前記複数の圧力センサが前記タッチスクリーンの下面に接触されるまで前記裏粘着層に挿入することを特徴とする請求項５に記載の有機発光表示装置の製造方法。
【請求項７】
請求項１から４のいずれか１項に記載の有機発光表示装置を備える電子設備。
【発明の詳細な説明】
【技術分野】
【０００１】
本発明は、有機発光表示装置及びその製造方法、並びに前記有機発光表示装置を用いた電子設備に関する。
【背景技術】
【０００２】
現在、新世代のタッチ技術、即ち、タッチセンシング技術が開発されており、タッチ設備は、軽く押す力や、強く押す力を検出することができ、それぞれに対応して異なる機能を表示できる。
【発明の概要】
【発明が解決しようとする課題】
【０００３】
しかし、従来のタッチ設備は、通常、圧力センサがカバープレートガラスの４つのコーナーの下方に設置されて、力の大きさや印加される力の方向及び位置を判断する。しかし、このような製品には、枠の幅を狭くできず、設計の上、別の処理が必要になるとの欠点が存在する。
【課題を解決するための手段】
【０００４】
関連する上記の問題及び/又はその他の問題に鑑みて、本発明の第一の態様は、タッチスクリーンと、上面が前記タッチスクリーンの下面に密着され、下面には裏粘着層がカバーして設けられる表示パネルと、上面が前記裏粘着層に粘着されるＦＰＣ(Ｆｌｅｘｉｂｌｅ Ｐｒｉｎｔｅｄ Ｃｉｒｃｕｉｔ)と、前記裏粘着層に配置される複数の圧力センサと、を備える有機発光表示装置を提供する。
【０００５】
好ましくは、前記複数の圧力センサは、前記ＦＰＣの上面に粘着される。
好ましくは、前記表示パネルは４つのコーナーを備え、前記４つのコーナーのそれぞれの下方には前記圧力センサが設けられる。
【０００６】
好ましくは、前記表示パネルの前記４つのコーナーの下面は、前記圧力センサに接触する。
【０００７】
好ましくは、前記有機発光表示装置は、ＡＭＯＬＥＤ表示装置である。
好ましくは、前記有機発光表示装置は、前記タッチスクリーンの上面に設置される一つの透明カバープレートをさらに備える。
【０００８】
好ましくは、前記透明カバープレートの材質は、ガラスやアクリルである。
本発明の第２の態様は、ＦＰＣ及び複数の圧力センサを提供し、前記複数の圧力センサを前記ＦＰＣの上面に粘着させるステップ１Ａと、
タッチスクリーン及び表示パネルを提供し、前記タッチスクリーンの下面を前記表示パネルの上面に密着させるステップ１Ｂと、
前記表示パネルの下面に裏粘着層を密着させるステップ１Ｃと、
前記ＦＰＣの上面を前記裏粘着層の下面に粘着させ、前記複数の圧力センサを前記裏粘着層に挿入するステップ２と、含む有機発光表示装置の製造方法を提供する。
【０００９】
好ましくは、前記ステップ２において、前記複数の圧力センサを、前記圧力センサが前記タッチスクリーンの下面に接触されるまで前記裏粘着層に挿入する。
【００１０】
好ましくは、前記有機発光表示装置は、ＡＭＯＬＥＤ表示装置である。
本発明の第３の態様は、前記有機発光表示装置を備える電子設備を提供する。
【発明の効果】
【００１１】
本発明の有機発光表示装置によれば、簡単な構造を介して、圧力センサを表示パネルの下方に設置して、カバープレートガラスの枠の位置を占めず、カバープレートガラスの枠を任意の幅に縮小することができて、ディスプレイの比例を増大させ、ユーザーの使用体験性を強化できる。また、本発明の構成は、特にＡＭＯＬＥＤ装置に適用できる。
【図面の簡単な説明】
【００１２】
【図１】本発明の実施例１の有機発光表示装置の断面構造を示す図である。
【図２】本発明の実施例１の有機発光表示装置の平面構造を示す図である。
【図３】実施例１の有機発光表示装置の製造方法のステップ１Ａを示す図である。
【図４】実施例１の有機発光表示装置の製造方法のステップ１Ｃを示す図である。
【図５】実施例１の有機発光表示装置の製造方法のステップ２を示す図である。
【図６】実施例２の有機発光表示装置の断面構造を示す図である。
【発明を実施するための形態】
【００１３】
添付された図面を参照しながら、例示的な実施形態についてより全面的に説明する。なお、本発明は例示的な実施形態に限定されるものではなく、例示的な実施形態は、様々な形態で実施できる。以下のような実施形態を提供することで、本発明が全面及び完全になり、また、例示的な実施形態の思想を当業者に全面的に伝達できる。図面では、同じ符号が同一又は類似の構造を示すので、これに対する重複する説明は省略する。
【００１４】
説明する特徴、構造、又は特性は、任意の適切な方式を介して、一つ又は複数の実施方式に結合することができる。以下、複数の具体的な説明を提供して、本発明の実施形態を十分に理解できるようにする。しかし、当業者には、特定された細部の中の一つ又は複数がなくても、又は他の方法、要素、材料などを用いても、本発明の技術的案を実践できることが自明である。ある状況では、本発明の趣旨に影響をしないように、公知の構造、材料又は操作を詳細に示すことなく説明する。
【００１５】
本発明の図面は、単に相対的な位置関係や電気的接続関係を例示するために用いられ、また、ある部位の層の厚さは、理解の便宜のため、拡大して示されるが、図面の層の厚さは、実際の層の厚さの比例関係を意味しない。
【００１６】
実施例１
図１は本発明の実施例１の有機発光表示装置の構造を示す図であり、前記有機発光表示装置は、タッチスクリーン５０と、表示パネル４０と、裏粘着層３０と、ＦＰＣ１０と、複数の圧力センサ２０とを有する。
【００１７】
ここで、表示パネル４０の上面がタッチスクリーン５０の下面に密着され、表示パネル４０の下面には裏粘着層３０がカバーして設けられ、ＦＰＣ１０の上面が裏粘着層３０に粘着され、複数の圧力センサ２０が裏粘着層３０に配置される。
【００１８】
本実施例では、タッチスクリーン５０の上に透明カバープレート６０が設けられ、透明カバープレート６０の材質として、ガラスやアクリルなどが採用されるが、本発明はこれに限定されない。
【００１９】
好ましくは、図１に示すように、複数の圧力センサ２０がＦＰＣ１０の上面に粘着される。
【００２０】
図２は有機発光表示装置を示す平面図であり、好ましくは、本実施例において、前記表示装置は矩形状であるが、これに限定しない。図２において、表示パネル４０が、透明カバープレート６０の下方に設置され、表示パネル４０は４つのコーナーを有し、４つのコーナーのそれぞれの下方には圧力センサ２０が設けられる。これによって、力の大きさや力を印加する方向及び位置をより精度よく判断することができる。
【００２１】
好ましくは、本実施形態の有機発光表示装置は、ＡＭＯＬＥＤ表示装置である。
図３乃至図５は本実施例の有機発光表示装置の製造プロセスを示す図である。前記製造プロセスは以下のステップを含んでもよい。
【００２２】
ステップ１Ａ：図３に示すように（矢印方向が粘着方向である。以下も同じである）、ＦＰＣ１０及び複数の圧力センサ２０を提供し、複数の圧力センサ２０をＦＰＣ１０の上面に粘着させる。
【００２３】
ステップ１Ｂ：タッチスクリーン５０及び表示パネル４０を提供し、タッチスクリーン５０の下面に表示パネル４０の上面を密着させる。
【００２４】
ステップ１Ｃ：図４に示すように、表示パネル４０の下面に裏粘着層３０を密着させる。
【００２５】
なお、ステップ１Ａ、ステップ１Ｂ及びステップ１Ｃにおいて、文字Ａ、Ｂ、Ｃはステップの前後順序を意味することではない。ステップ１Ａ、ステップ１Ｂ及びステップ１Ｃは、それぞれ行われ、前後順序はない。
【００２６】
ステップ２：図５に示すように、ステップ１Ａで得られたＦＰＣ１０の上面を、ステップ１Ｂ及び１Ｃで得られた裏粘着層３０の下面に粘着させて、複数の圧力センサ２０が裏粘着層３０に圧入され、裏粘着層３０に挿入される。
【００２７】
実施例２
図６は本発明の実施例２の有機発光表示装置の構造を示す図である。図６に示すように、実施例２の有機発光表示装置は、圧力センサ２０が裏粘着層３０に設けられるとともに、表示パネル４０に接触される点で、実施例１と異なる。
【００２８】
実施例２の有機発光表示装置の製造方法は、ステップ２において、複数の圧力センサ２０が表示パネル４０の下面に接触するまでに、複数の圧力センサ２０を裏粘着層３０に挿入する点で、実施例１と異なる。
【００２９】
前記相違点以外、実施例２の有機発光表示装置の構造及び製造方法は、実施例１と基本的に同じなので、ここでは説明を省略する。
【００３０】
本発明の上記実施形態に係る有機発光表示装置は、端末の電子設備、例えば、スマートフォン、タブレットＰＣなどに適用可能である。例えば、端末の電子設備の制御ボタンやスイッチング素子と組み合わせて使用してもよく、端末の電子設備のカバープレートガラス又はケース内に挿入して独立的に使用してもよい。
【００３１】
なお、本明細書は、実施形態に基づき説明したが、実施形態ごとに１つの独立した技術的案のみを含むものではなく、明細書の上記のような記述方式は、単に明確にするためである。当業者は、明細書を一つの全体として理解すべきであり、各実施形態の技術的案は適切に組み合わせられて、当業者が理解できる他の実施形態を形成することができる。
【００３２】
上述の詳細な説明は、単に本発明の実施形態に関する具体的な説明だけであり、本発明の保護範囲を限定しない。また、本発明の技術思想を逸脱しない範囲での同等の実施形態や変更等は本発明の保護範囲に含まれる。
【図１】
2017063183.tif 000003
【図２】
2017063183.tif 000004
【図３】
2017063183.tif 000005
【図４】
2017063183.tif 000006
【図５】
2017063183.tif 000007
【図６】
2017063183.tif 000008